(57)【要約】【課題】移動式通信装置、通信システム、通知方法およびプログラムを提供すること。【解決手段】通信装置のアドレス情報と、通信装置の利用者を特定可能な利用者情報と、を事前に対応付けて記憶している情報サーバと無線通信可能な移動式通信装置であって、通信装置から送信された通信装置のアドレス情報を含む情報を受信する情報受信部と、情報受信部が受信したアドレス情報を情報サーバに対して送信する送信部と、情報サーバから、送信部が送信したアドレス情報と対応付けて情報サーバが記憶している利用者情報を受信する利用者情報受信部と、利用者情報受信部が受信した利用者情報を移動式通信装置の利用者に通知する通知部と、を備えることを特徴とする。【選択図】図３
2008160549.tif 000002
【特許請求の範囲】
【請求項１】
通信装置のアドレス情報と、前記通信装置の利用者を特定可能な利用者情報と、を事前に対応付けて記憶している情報サーバと無線通信可能な移動式通信装置であって：
前記通信装置から送信された前記通信装置のアドレス情報を含む情報を受信する情報受信部と；
前記情報受信部が受信したアドレス情報を前記情報サーバに対して送信する送信部と；
前記情報サーバから、前記送信部が送信したアドレス情報と対応付けて前記情報サーバが記憶している利用者情報を受信する利用者情報受信部と；
前記利用者情報受信部が受信した利用者情報を前記移動式通信装置の利用者に通知する通知部と；
を備えることを特徴とする、移動式通信装置。
【請求項２】
前記情報サーバには、前記各移動式通信装置に固有に設定されている個別情報と、前記通信装置のアドレス情報と、前記通信装置の利用者情報と、が対応付けられた個別情報一覧が記憶されており、
前記移動式通信装置は自装置の前記個別情報を記憶する記憶部を備え、
前記送信部は、前記情報受信部が受信した情報に含まれるアドレス情報と、前記記憶部が記憶する個別情報と、を前記情報サーバに送信し、
前記利用者情報受信部は、前記送信部が送信した個別情報およびアドレス情報と対応付けて記憶されている利用者情報を受信することを特徴とする、請求項１に記載の移動式通信装置。
【請求項３】
前記情報サーバには、前記個別情報一覧と、前記通信装置のアドレス情報および前記通信装置の利用者情報が対応付けられた共通情報一覧と、が記憶されており、
前記情報受信部が受信したアドレス情報が前記情報サーバが記憶する共通情報一覧に含まれるか否かを判断する判断部を備え、
前記判断部により前記情報受信部が受信したアドレス情報が前記共通情報一覧に含まれていないと判断された場合、前記送信部は、前記情報受信部が受信した情報に含まれるアドレス情報と、前記記憶部が記憶する個別情報と、を前記情報サーバに送信することを特徴とする、請求項２に記載の移動式通信装置。
【請求項４】
前記情報受信部が受信した情報にアドレス情報が含まれていなかった場合、前記通知部はアドレス情報が不明である旨の通知をすることを特徴とする、請求項１に記載の移動式通信装置。
【請求項５】
前記利用者情報受信部が前記情報サーバから利用者情報を受信できなかった場合、前記通知部はアドレス情報を通知することを特徴とする、請求項１に記載の移動式通信装置。
【請求項６】
通信装置のアドレス情報と、前記通信装置の利用者を特定可能な利用者情報と、を事前に対応付けて記憶している情報サーバと、前記情報サーバと無線通信可能な移動式通信装置と、を含む通信システムであって：
前記情報サーバは、
前記移動式通信装置から受信したアドレス情報と対応付けて記憶している利用者情報を検索する検索部と；
前記検索部により検索された前記利用者情報を前記移動式通信装置に送信する利用者情報送信部と；
を備え、
前記移動式通信装置は、
前記通信装置から送信された前記通信装置のアドレス情報を含む情報を受信する情報受信部と；
前記情報受信部が受信したアドレス情報を前記情報サーバに対して送信する送信部と；
前記情報サーバの前記利用者情報送信部から利用者情報を受信する利用者情報受信部と；
前記利用者情報受信部が受信した利用者情報を前記移動式通信装置の利用者に通知する通知部と；
を備えることを特徴とする、通信システム。
【請求項７】
通信装置のアドレス情報と、前記通信装置の利用者を特定可能な利用者情報と、を事前に対応付けて記憶している情報サーバと無線通信可能な移動式通信装置における通知方法であって：
通信装置のアドレス情報を含む情報を受信するステップと；
前記受信した前記アドレス情報を前記情報サーバに送信するステップと；
前記情報サーバから、前記情報サーバが前記アドレス情報と対応付けて記憶している利用者情報を受信するステップと；
前記受信した利用者情報を前記移動式通信装置の利用者に通知するステップと；
を含むことを特徴とする、通知方法。
【請求項８】
コンピュータを、
任意の通信装置から送信された前記通信装置のアドレス情報を含む情報を受信する情報受信部と；
前記情報受信部が受信したアドレス情報を、通信装置のアドレス情報と、前記アドレス情報が付与されている通信装置の利用者を特定可能な利用者情報と、を事前に対応付けて記憶している情報サーバに対して送信する送信部と；
前記情報サーバから、前記送信部が送信したアドレス情報と対応付けて前記情報サーバが記憶している利用者情報を受信する利用者情報受信部と；
前記利用者情報受信部が受信した利用者情報を前記移動式通信装置の利用者に通知する通知部と；
を備える移動式通信装置として機能させるための、プログラム。
【発明の詳細な説明】
【技術分野】
【０００１】
本発明は、移動式通信装置、通信システム、通知方法およびプログラムに関する。
【背景技術】
【０００２】
近日、位置的に遠隔する者同士の通話を可能とする通信装置の一例として電話機が広く普及している。電話機は、有線の電話回線を介して音声を送受信する固定式電話と、無線電波を利用して音声を送受信する移動式通信装置としての携帯電話と、に大別される。固定式電話は、有線の電話回線を用いるため通話品質が高く、また低コストであるという利点を有する。一方、携帯電話は、有線回線が不要であるため、利用者による持ち運びが容易であり、利用可能範囲が広いという利点を有する。
【０００３】
このような携帯電話には、通常、任意の人物の名前を示す利用者名と、該人物が所有する通信装置に付与されている電話番号と、を対応付けた電話帳が記憶されている。かかる電話帳は、携帯電話の着信時や発信時などに用いられる。
【０００４】
例えば、特許文献１には、携帯電話の着信時に、携帯電話が記憶する電話帳に基づいて発信者名を表示する方法が記載されている。具体的には、携帯電話は、無線電波を介して着信と共に発信元の通信装置の電話番号を受信すると、受信した電話番号と対応付けられている利用者名を電話帳から検索し、検索された利用者名を発信者名としてディスプレイに表示していた。このように、携帯電話のディスプレイには着信時に自動的に発信者名が表示されるため、利用者は電話番号と利用者を対応付けて覚えることなく発信者を把握することができた。
【０００５】
【特許文献１】特開平１１−３３１４１７号公報
【発明の開示】
【発明が解決しようとする課題】
【０００６】
しかし、従来の携帯電話は、上述のように利用者が持ち運びする際に、紛失、または盗難される場合があった。携帯電話が紛失、または盗難されると、携帯電話に記憶された個人情報を含む電話帳の内容が漏洩しかねないという問題があった。
【０００７】
そこで、本発明は、上記問題に鑑みてなされたものであり、本発明の目的とするところは、移動式通信装置内に記憶する個人情報を抑制しつつ、情報送信元を示す利用者情報を移動式通信装置の利用者に通知することが可能な、新規かつ改良された移動式通信装置、通信システム、通知方法およびプログラムを提供することにある。
【課題を解決するための手段】
【０００８】
上記課題を解決するために、本発明のある観点によれば、通信装置のアドレス情報と、通信装置の利用者を特定可能な利用者情報と、を事前に対応付けて記憶している情報サーバと無線通信可能な移動式通信装置が提供される。本願にかかる移動式通信装置は、通信装置から送信された通信装置のアドレス情報を含む情報を受信する情報受信部と、情報受信部が受信したアドレス情報を情報サーバに対して送信する送信部と、情報サーバから、送信部が送信したアドレス情報と対応付けて情報サーバが記憶している利用者情報を受信する利用者情報受信部と、利用者情報受信部が受信した利用者情報を移動式通信装置の利用者に通知する通知部と、備えることを特徴とする。
【０００９】
かかる構成においては、情報受信部が、例えば電話番号や電子メールアドレスなどのアドレス情報を含む情報を他の通信装置から受信すると、送信部が該アドレス情報を情報サーバに送信する。情報サーバは、通信装置のアドレス情報と、通信装置の利用者を特定可能な利用者情報と、を事前に対応付けて記憶しているため、移動式通信装置の送信部から受信したアドレス情報に対応する利用者情報を検索できる。そして、情報サーバは検索した利用者情報を移動式通信装置に送信し、利用者情報受信部が該利用者情報を情報サーバから受信すると、通知部が該利用者情報をディスプレイに表示したり、スピーカから出力することにより、移動式通信装置の利用者に発信者を通知することができる。
【００１０】
すなわち、当該移動式通信装置は、通信装置のアドレス情報と、通信装置の利用者を特定可能な利用者情報と、を対応付けた一覧情報を記憶することなく、情報の受信時に発信元を示す利用者情報を移動式通信装置の利用者に通知可能である。したがって、当該移動式通信装置が紛失、または盗難などされた場合であっても、上記一覧情報のような個人情報が漏洩することを防止できる。
【００１１】
情報サーバには、移動式通信装置ごとに固有に設定されている個別情報と、通信装置のアドレス情報と、通信装置の利用者情報と、が対応付けられた個別情報一覧が記憶されており、移動式通信装置は自装置の個別情報を記憶する記憶部を備え、送信部は、情報受信部が受信した情報に含まれるアドレス情報と、記憶部が記憶する個別情報と、を情報サーバに送信し、利用者情報受信部は、送信部が送信した個別情報およびアドレス情報と対応付けて記憶されている利用者情報を受信するようにしてもよい。
【００１２】
かかる構成においては、情報サーバは、移動式通信装置から個別情報およびアドレス情報を受信した場合、個別情報一覧に含まれるアドレス情報のうちで、受信した個別情報が対応付けられているアドレス情報を対象に移動式通信装置から受信したアドレス情報を検索する。そして、情報サーバは、検索されたアドレス情報と対応付けられている利用者情報を移動式通信装置に送信することができる。すなわち、情報サーバは、アドレス情報と、通信装置の利用者情報と、を個別情報ごとに記憶しているため、移動式通信装置から利用者情報の検索要求があったとき、個別情報一覧のうちで検索対象となる情報量を抑制することができる。
【００１３】
情報サーバには、個別情報一覧と、通信装置のアドレス情報および通信装置の利用者情報が対応付けられた共通情報一覧と、が記憶されており、情報受信部が受信したアドレス情報が情報サーバが記憶する共通情報一覧に含まれるか否かを判断する判断部を備え、判断部により情報受信部が受信したアドレス情報が共通情報一覧に含まれていないと判断された場合、送信部は、情報受信部が受信した情報に含まれるアドレス情報と、記憶部が記憶する個別情報と、を情報サーバに送信するようにしてもよい。
【００１４】
かかる構成においては、移動式通信装置は、共通情報一覧から利用者情報の取得を試み、共通情報一覧から利用者情報を取得できなかった場合に個別情報一覧から利用者情報の取得を試みる。ここで、移動通信装置が取得を試みる利用者情報が共通情報一覧に含まれる可能性が高い場合には、移動式通信装置が個別情報一覧から利用者情報の取得を試みる場合を抑制できる。その結果、情報サーバおよび移動式通信装置における負荷の抑制および検索速度の迅速化を図ることができる。  
【００１５】
情報受信部が受信した情報にアドレス情報が含まれていなかった場合、通知部はアドレス情報が不明である旨の通知をするようにしてもよい。例えば、通知部は、情報受信部が受信した情報にアドレス情報が含まれていなかった場合、ディスプレイに「非通知設定」という文字を表示したり、バツ印を表示したりし、アドレス情報が不明である旨を移動式通信装置の利用者に通知することができる。
【００１６】
利用者情報受信部が情報サーバから利用者情報を受信できなかった場合、通知部はアドレス情報を通知するようにしてもよい。
【００１７】
また、上記課題を解決するために、本発明の別の観点によれば、通信装置のアドレス情報と、通信装置の利用者を特定可能な利用者情報と、を事前に対応付けて記憶している情報サーバと、情報サーバと無線通信可能な移動式通信装置と、を含む通信システムが提供される。上記情報サーバは、移動式通信装置から受信したアドレス情報と対応付けて記憶している利用者情報を検索する検索部と、検索部により検索された利用者情報を移動式通信装置に送信する利用者情報送信部とを備え、上記移動式通信装置は、通信装置から送信された通信装置のアドレス情報を含む情報を受信する情報受信部と、情報受信部が受信したアドレス情報を情報サーバに対して送信する送信部と、情報サーバの利用者情報送信部から利用者情報を受信する利用者情報受信部と、利用者情報受信部が受信した利用者情報を移動式通信装置の利用者に通知する通知部と、を備えることを特徴とする。
【００１８】
また、上記課題を解決するために、本発明の別の観点によれば、通信装置のアドレス情報と、通信装置の利用者を特定可能な利用者情報と、を事前に対応付けて記憶している情報サーバと無線通信可能な移動式通信装置における通知方法であって、通信装置のアドレス情報を含む情報を受信するステップと、受信したアドレス情報を情報サーバに送信するステップと、情報サーバから、情報サーバがアドレス情報と対応付けて記憶している利用者情報を受信するステップと、受信した利用者情報を移動式通信装置の利用者に通知するステップと、を含むことを特徴とする、通知方法が提供される。
【００１９】
また、上記課題を解決するために、本発明の別の観点によれば、コンピュータを、任意の通信装置から送信された通信装置のアドレス情報を含む情報を受信する情報受信部と、情報受信部が受信したアドレス情報を、通信装置のアドレス情報と、アドレス情報が付与されている通信装置の利用者を特定可能な利用者情報と、を事前に対応付けて記憶している情報サーバに対して送信する送信部と、情報サーバから、送信部が送信したアドレス情報と対応付けて情報サーバが記憶している利用者情報を受信する利用者情報受信部と、利用者情報受信部が受信した利用者情報を移動式通信装置の利用者に通知する通知部と、を備える移動式通信装置として機能させるための、プログラムが提供される。
【発明の効果】
【００２０】
以上説明したように本発明にかかる移動式通信装置、通信システム、通知方法およびプログラムによれば、移動式通信装置内に記憶する個人情報を抑制しつつ、情報送信元を示す利用者情報を移動式通信装置の利用者に通知することができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書においては、図１を参照して本実施形態にかかる通信システム１の概要を説明した後に、図２〜図６を参照して本実施形態にかかる携帯電話２０および情報サーバ３０の構成を説明し、図７を参照して本実施形態にかかる携帯電話２０における表示方法を説明する。
【００２３】
図１は、本実施形態にかかる通信システム１の構成を示した説明図である。通信システム１は、通信装置としての電話機１０と、通信網１２と、移動式通信装置としての携帯電話２０と、情報サーバ３０と、を含む。
【００２４】
電話機１０は、音声を遠隔する電話機（図示せず。）に電気信号に変換して送信し、遠隔する電話機から受信した電気信号を音声に変換して出力する装置である。電話機１０には、有線式のものと、無線式のものとが含まれる。有線式の電話機１０から無線式の携帯電話２０などへの発信は、電話機１０が有線の電話回線を介して電信基地局へ電気信号を送信し、電信基地局が該電気信号を無線電波を用いて携帯電話２０に送信して行なわれる。無線式の電話機１０から無線式の携帯電話２０などへの発信は、電話機１０が無線電波を用いて電信基地局へ電気信号を送信し、電信基地局が該電気信号を無線電波を用いて携帯電話２０に送信して行なわれる。なお、本明細書においては、携帯電話２０以外の電話機を総じて電話機１０と称する。
【００２５】
携帯電話２０は、電話機１０と無線電波を用いて音声の電気信号を送受信する装置である。より詳細には、携帯電話２０は、電話機１０との通信を中継する電信基地局との間で電気信号を無線電波を用いて送受信する。また、本実施形態にかかる携帯電話２０は、無線ＬＡＮ（Ｌｏｃａｌ  Ａｒｅａ  Ｎｅｔｗｏｒｋ）に対応することを特徴とする。
【００２６】
情報サーバ３０は、有線式や無線式の電話機の電話番号と、該電話機の利用者名とを対応付けて記憶している。また、情報サーバ３０は、通信網１２を介して携帯電話２０と各種情報を送受信することができる。なお、通信網１２は、携帯電話２０や情報サーバ３０などの情報処理装置を相互に接続する中継媒体であって、例えば、有線回線、無線電波、他の情報処理装置、ルータまたは通信を制御する基地局などが含まれてもよい。本実施形態においては、携帯電話２０と情報サーバ３０とが無線ＬＡＮにて接続されているものとして説明する。また、情報サーバ３０は、ある企業内に設けられたサーバであって、携帯電話２０は、該企業内でのみ情報サーバ３０と接続できるものとしてもよい。すなわち、情報サーバ３０は企業内サーバであり、携帯電話２０は従業員用携帯電話であってもよい。
【００２７】
このような本実施形態にかかる通信システム１を構成する携帯電話２０は、電話帳を記憶することなく、電話機１０からの着信時に電話機１０の利用者名をディスプレイに表示することができる。すなわち、携帯電話２０は、着信時に発信元の利用者名を表示するための電話帳を記憶する必要がないため、携帯電話２０が紛失または盗難などされた場合の個人情報の漏洩を防止可能である。以下、本実施形態にかかる通信システム１の各構成を詳細に説明する。
【００２８】
図２は、本実施形態にかかる携帯電話２０のハードウェア構成を示した説明図である。携帯電話２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、通信機２１５とを備える。
【００２９】
ＣＰＵ２０１は、演算処理装置および制御装置として機能し、各種プログラムに従って携帯電話２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００３０】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００３１】
入力装置２０８は、例えば、マウス、キーボード、タッチパネル、ボタン、マイク、スイッチおよびレバーなど利用者による入力を受け付ける入力手段と、利用者による入力に基づいて入力信号を生成し、ＣＰＵ２０１に出力する入力制御回路などから構成されている。携帯電話２０の利用者は、該入力装置２０８を操作することにより、携帯電話２０に対して各種のデータを入力したり処理動作を指示したりすることができる。
【００３２】
出力装置２１０は、例えば、液晶ディスプレイ（ＬＣＤ）装置およびランプなどの表示装置と、スピーカおよびヘッドホンなどの音声出力装置で構成される。出力装置２１０は、例えば、映像データ、テキストデータ、アイコン等の各種情報をテキストまたはイメージで表示したり、音声データ等を音声に変換して出力する。
【００３３】
ストレージ装置２１１は、本実施形態にかかる携帯電話２０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、例えば、後述の個別情報が記憶される。
【００３４】
通信機２１５は、例えば、通信網１２に接続するための通信デバイス等で構成された通信インタフェースである。また、通信機２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信機２１５は、電話機１０との間で音声やアドレス情報を表す電気信号を送受信したり、情報サーバ３０との間でアドレス情報や利用者情報などを送受信する。
【００３５】
以上、図２を参照して携帯電話２０のハードウェア構成を説明した。電話機１０および情報サーバ３０も、携帯電話２０のハードウェア構成と実質的に同一に構成できるため、説明を省略する。なお、携帯電話２０は、移動式通信装置の一例に過ぎず、移動式通信装置は、例えば、ノートＰＣ（Ｐｅｒｓｏｎａｌ  Ｃｏｍｐｕｔｅｒ）、家庭用映像処理装置（ＤＶＤレコーダ、ビデオデッキなど）、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔ）、携帯用ゲーム機器など、電話機能を実装可能な情報処理装置であってもよい。続いて、図３〜図６を参照し、携帯電話２０および情報サーバ３０の機能について説明する。
【００３６】
図３は、本実施形態にかかる携帯電話２０および情報サーバ３０の構成を示した機能ブロック図である。携帯電話２０は、基本機能部２２０と、記憶部２２８と、発信元表示処理部２３０と、を備え、情報サーバ３０は、通信部３１０と、検索部３２０と、共通電話帳記憶部３３０と、個人電話帳記憶部３４０と、を備える。
【００３７】
携帯電話２０の基本機能部２２０は、他の電話機１０などと通話するための基本的な機能を担い、例えば、通信部２２２、操作部２２４および音声処理部２２６を備える。
【００３８】
通信部２２２は、電話機１０や情報サーバ３０とのインターフェースである。通信部２２２は、例えば、電話機１０の電話番号を含む情報を電話機１０から受信する情報受信部としての機能を有する。また、通信部２２２は、電話機１０から受信した電話機１０の電話番号を情報サーバ３０へ送信する送信部としての機能や、情報サーバ３０から電話機１０の利用者を特定可能な利用者情報を受信する利用者情報受信部としての機能を有する。かかる通信部２２２は、図２に示したハードウェアである通信機２１５を機能させるソフトウェアであってもよい。
【００３９】
操作部２２４は、携帯電話２０に対する利用者の操作を検出する。操作部２２４は、例えば、タッチパネル、ボタン、スイッチ、レバー、ダイヤルや、リモートコントローラが発生する赤外線信号用の受光部などからなる操作手段と、この操作手段に対する利用者の操作に応じて操作信号を生成し、携帯電話２０の各構成へ出力する入力制御回路などから構成されている。携帯電話２０の利用者は、この操作部２２４を操作することにより、携帯電話２０に対して各種のデータを入力したり、処理動作を指示したりすることができる。この操作部２２４に対する利用者による操作の内容としては、例えば、電話番号の入力や、着信時の通話開始指示などがあげられる。
【００４０】
音声処理部２２６は、音声と電気信号を相互に変換する音声／電気信号変換部としての機能を有する。音声処理部２２６は、例えば、図２に示した入力装置２０８としてのマイクを介して入力された利用者の音声を電気信号に変換し、通信部２２２に出力する。また、音声処理部２２６は、通信部２２２を介して入力された電気信号を音声に変換し、図２に示した出力装置２１０としてのスピーカから該音声が出力されるようにする。
【００４１】
記憶部２２８は、携帯電話２０ごとに固有に設定された個別情報を記憶する。個別情報は、携帯電話２０を特定できる情報であってもよく、例えば、携帯電話２０の電話番号や、携帯電話２０の利用者名や、携帯電話２０の製造番号であってもよい。このような個別情報の一例を図４に示した。
【００４２】
図４は、記憶部２２８が記憶する個別情報の一例を示した説明図である。図４に示した例では、個別情報は電話番号および利用者名を含む。具体的には、図４は、携帯電話２０の個別情報としての電話番号が「０９０７ＸＸＸＸＸＸＸ」であり、携帯電話２０の個別情報としての利用者名「沖  牙太郎」である場合を示している。
【００４３】
なお、記憶部２２８は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＰＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００４４】
発信元表示処理部２３０は、電話機１０からの着信時に、発信元である電話機１０の利用者名を表示するためのソフトウェアであって、例えば、着信通知設定部２３１と、認証部２３２と、着信通知取得部２３３と、共通電話帳検索要求部２３４と、個人電話帳検索要求部２３５と、表示部２３６と、を備える。
【００４５】
着信通知設定部２３１は、通信部２２２が電話機１０から着信したとき、着信があった旨および電話機１０の電話番号が基本機能部２２０から発信元表示処理部２３０に通知されるようにするか否かを設定する。着信通知設定部２３１が、着信があった旨および電話機１０の電話番号が基本機能部２２０から発信元表示処理部２３０に通知されないように設定した場合、発信元表示処理部２３０は実質的に機能を停止することとなる。
【００４６】
認証部２３２は、携帯電話２０の利用者が、携帯電話２０を使用する正当権限を有するか否かを認証する。認証部２３２による認証は、例えば、利用者にパスワードを要求し、入力されたパスワードが記憶部２２８に記憶されているパスワードと一致するか否かに基づいた認証を行なうパスワード方式であってもよい。
【００４７】
また、認証部２３２による認証は、利用者に指紋の入力を要求し、入力された指紋が記憶部２２８に記憶されている指紋と一致、あるいは類似するか否かに基づいた認証を行なう指紋認証方式であってもよい。または、認証部２３２による認証は、利用者にＩＣカードの近接操作を要求し、近接されたＩＣカードが記憶部２２８に記憶されたＩＣカード情報と一致するか否かに基づいた認証を行なう媒体認証方式であってもよい。その他、認証部２３２による認証は、利用者の音声を利用する音声認証方式、利用者の網膜の模様に基づく網膜認証方式、利用者の顔の形に基づく顔認証方式などであってもよい。
【００４８】
認証部２３２は、このような認証を所定の頻度で利用者に要求するようにしてもよい。例えば、認証部２３２は、１日間隔で利用者認証を要求し、利用者を認証できなかった場合、発信元表示処理部２３０の機能を停止させることができる。
【００４９】
着信通知取得部２３３は、通信部２２２が電話機１０から着信したとき、着信があった旨および電話機１０の電話番号を基本機能部２２０から取得する。着信通知取得部２３３は、通信部２２２が電話機１０から着信しても、認証部２３２が利用者を認証できていない場合には着信があった旨および電話機１０の電話番号を取得しないようにしてもよい。
【００５０】
共通電話帳検索要求部２３４は、情報サーバ３０に対して、電話機１０の電話番号に基づく電話機１０の利用者名の共通電話帳記憶部３３０における検索要求を行なう。具体的には、共通電話帳検索要求部２３４は、着信通知取得部２３３が取得した電話番号を、通信部２２２を介し、無線ＬＡＮにて接続された情報サーバ３０に送信する。
【００５１】
また、共通電話帳検索要求部２３４は、検索要求に応じて情報サーバ３０から利用者名が送信されたか否かを判断する判断部としての機能を有する。共通電話帳検索要求部２３４は、情報サーバ３０から利用者名が送信されたと判断した場合、表示部２３６に該利用者名を発信者名として表示させる。一方、共通電話帳検索要求部２３４が、情報サーバ３０から利用者名が送信されなかったと判断した場合、個人電話帳検索要求部２３５の動作に移行する。
【００５２】
個人電話帳検索要求部２３５は、情報サーバ３０に対して、電話機１０の電話番号および個別情報に基づく電話機１０の利用者名の個人電話帳記憶部３４０における検索要求を行なう。具体的には、個人電話帳検索要求部２３５は、記憶部２２８から携帯電話２０の利用者名または携帯電話２０の電話番号などの個別情報を読み出し、読み出した個別情報を無線ＬＡＮにて接続された情報サーバ３０に送信する。個人電話帳検索要求部２３５は、個別情報と共に、改めて電話機１０の電話番号を情報サーバ３０に送信するようにしてもよい。
【００５３】
また、個人電話帳検索要求部２３５は、検索要求に応じて情報サーバ３０から利用者名が送信された場合、該利用者名を表示部２３６に表示させる。また、個人電話帳検索要求部２３５は、情報サーバ３０から利用者名が送信されなかった場合、表示部２３６に電話機１０の電話番号のみを表示させることができる。
【００５４】
表示部２３６は、図２に示した出力装置２１０としてのディスプレイに、発信元の電話機１０に関する情報を表示するための通知部としての機能を有する。表示部２３６は、例えば、共通電話帳検索要求部２３４、または個人電話帳検索要求部２３５が情報サーバ３０から電話機１０の利用者名を取得できた場合、取得された利用者名を表示する。このとき、表示部２３６は、利用者名と併せて電話機１０の電話番号を表示してもよい。
【００５５】
一方、表示部２３６は、共通電話帳検索要求部２３４、または個人電話帳検索要求部２３５が情報サーバ３０から電話機１０の利用者名を取得できなかったとき、電話機１０の電話番号のみを表示してもよい。また、表示部２３６は、電話機１０からの着信時に電話機１０の電話番号が受信されなかった場合、電話番号が不明である旨の表示をしてもよい。例えば、電話番号が不明である旨の表示は、「非通知設定」という文字による表示であっても、バツ印やクエスチョンマークなどのアイコン表示であっても、赤や黒などの色による表示であってもよい。
【００５６】
このように、本実施形態にかかる携帯電話２０は、記憶部２２８に、他の電話機１０の電話番号と利用者名を対応付けて記憶する必要がない。すなわち、本実施形態にかかる携帯電話２０は、記憶部２２８に記憶する個人情報の大部分を排除しつつ、着信時に発信元の電話機１０の利用者名を表示することができる。その結果、携帯電話２０が紛失、または盗難された場合に、携帯電話２０から個人情報が漏洩することを防止できる。
【００５７】
情報サーバ３０の通信部３１０は携帯電話２０とのインターフェースである。すなわち、通信部３１０は、携帯電話２０との無線ＬＡＮに基づく通信を行うことができる。具体的には、通信部３１０は、携帯電話２０と間で電話番号、利用者名などの情報を送受信する利用者情報送信部としての機能を有する。
【００５８】
検索部３２０は、携帯電話２０から通信部３１０を介して受信した利用者名の検索要求に応じて、共通電話帳記憶部３３０または個人電話帳記憶部３４０から利用者名の検索を行なう。例えば、検索部３２０は、携帯電話２０から共通電話帳記憶部３３０が記憶する共通電話帳に対する検索要求として電話機１０の電話番号を受信した場合には、共通電話帳記憶部３３０から電話機１０の電話番号を検索し、検索された電話機１０の電話番号と対応付けられている利用者名を抽出する。なお、共通電話帳記憶部３３０が記憶する共通電話帳のデータ構造については、図５を参照して後述する。
【００５９】
また、検索部３２０は、携帯電話２０から個人電話帳記憶部３４０が記憶する個人電話帳に対する検索要求として電話機１０の電話番号、および携帯電話２０の電話番号などの個別情報を受信した場合には、個人電話帳記憶部３４０から、携帯電話２０の電話番号と対応付けられている電話機１０の電話番号を検索し、検索された電話機１０の電話番号と対応付けられている利用者名を抽出する。なお、個人電話帳記憶部３４０が記憶する共通電話帳のデータ構造については、図６を参照して後述する。
【００６０】
そして、検索部３２０は、共通電話帳記憶部３３０または個人電話帳記憶部３４０から抽出した利用者名を、通信部３１０を介して携帯電話２０に送信する。検索部３２０が共通電話帳記憶部３３０または個人電話帳記憶部３４０から利用者名を抽出できなかった場合には、検索部３２０は、共通電話帳記憶部３３０または個人電話帳記憶部３４０に携帯電話２０から要求された電話番号が記憶されていない旨を携帯電話２０へ送信する。
【００６１】
共通電話帳記憶部３３０は、例えば、電話番号と、該電話番号が付与されている電話機１０の利用者名とが対応付けられた共通情報一覧としての共通電話帳を記憶している。このような共通電話帳記憶部３３０が記憶する共通電話帳の一例を、図５を参照して説明する。
【００６２】
図５は、共通電話帳記憶部３３０が記憶する共通電話帳のデータ構造例を示した説明図である。図５に示した例では、共通電話帳は、通し番号と、電話番号と、利用者名と、が対応付けられている。具体的には、番号「１」には、電話番号「０９０１ＸＸＸＸＸＸＸ」、および利用者名「沖  一郎」が対応付けられており、番号「２」には、電話番号「０９０２ＸＸＸＸＸＸＸ」、および利用者名「沖  次郎」が対応付けられている。
【００６３】
したがって、検索部３２０は、携帯電話２０から電話番号「０９０１ＸＸＸＸＸＸＸ」を受信すると、共通電話帳記憶部３３０が記憶する共通電話帳から電話番号「０９０１ＸＸＸＸＸＸＸ」を検索し、電話番号「０９０１ＸＸＸＸＸＸＸ」と対応付けられている利用者名「沖  一郎」を抽出する。その結果、携帯電話２０においては、検索部３２０により抽出された利用者名「沖  一郎」を受信し、利用者名「沖  一郎」をディスプレイなどに表示することができる。
【００６４】
個人電話帳記憶部３４０は、例えば、個人名と、電話番号と、該電話番号が付与されている電話機１０の利用者名とが対応付けられた個別情報一覧としての個人電話帳を記憶している。このような個人電話帳記憶部３４０が記憶する個人電話帳の一例を、図６を参照して説明する。
【００６５】
図６は、個人電話帳記憶部３４０が記憶する個人電話帳のデータ構造例を示した説明図である。図６に示した例では、個人電話帳は、個人名と、個人名ごとの通し番号と、電話番号と、利用者名と、が対応付けられている。具体的には、個人名「沖  花美」には、番号が「１」、電話番号が「０９０１ＸＸＸＸＸＸＸ」、および利用者名が「沖  一郎」である情報と、番号が「２」、電話番号が「０８０２ＸＸＸＸＸＸＸ」、および利用者名が「沖  次郎」である情報と、が対応付けられている。また、個人名「沖  花子」には、番号が「１」、電話番号が「０９０１ＸＸＸＸＸＸＸ」、および利用者名が「沖  一郎」である情報と、番号が「２」、電話番号が「０８０６ＸＸＸＸＸＸＸ」、および利用者名が「沖  三郎」である情報と、が対応付けられている。
【００６６】
したがって、検索部３２０は、携帯電話２０から携帯電話２０の利用者名「沖  花子」および電話機１０の電話番号「０８０６ＸＸＸＸＸＸＸ」を受信した場合、個人名「沖  花子」が対応付けられている情報のみを対象に検索を行なう。すなわち、個人名「沖  花子」が対応付けられている情報のうちで、電話番号「０８０６ＸＸＸＸＸＸＸ」を検索し、検索された電話番号「０８０６ＸＸＸＸＸＸＸ」と対応付けられている利用者名「沖  三郎」を抽出する。その結果、携帯電話２０においては、検索部３２０により抽出された利用者名「沖  三郎」を受信し、利用者名「沖  三郎」をディスプレイなどに表示することができる。
【００６７】
このように、個人電話帳記憶部３４０は、携帯電話２０の利用者ごとに電話帳を記憶しているため、検索部３２０は、個人電話帳のうちで、検索要求元の携帯電話２０に対応する部分のみを検索すればよい。すなわち、個人電話帳記憶部３４０において検索部３２０による検索対象となる情報量を抑制できるため、検索速度の迅速化、および処理負荷の低減を図ることが可能である。
【００６８】
なお、共通電話帳記憶部３３０および個人電話帳記憶部３４０は、上述した携帯電話２０の記憶部２２８と同様に、例えば、ＥＥＰＲＯＭ、ＥＰＲＰＭなどの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスクや、ＭＯディスクなどの記憶媒体であってもよい。また、図３においては、共通電話帳記憶部３３０と個人電話帳記憶部３４０とを分離構成される場合を示したが、共通電話帳および個人電話帳を同一の記憶媒体に記憶するようにしてもよい。
【００６９】
以上、本実施形態にかかる携帯電話２０および情報サーバ３０の機能について説明した。続いて、図７を参照して、本実施形態にかかる携帯電話２０における着信時の発信元の通知方法としての表示方法を説明する。
【００７０】
図７は、本実施形態にかかる携帯電話２０における着信時の発信元の表示方法を示したフローチャートである。まず、携帯電話２０は、電話機１０から着信すると、電話番号通知があるか否かを判断する（Ｓ４０４）。電話番号通知がないと判断された場合には、表示部２３６はディスプレイに「非通知通話」の文字列を表示し、処理を完了する（Ｓ４０８）。
【００７１】
一方、Ｓ４０４において電話番号通知があると判断された場合には、着信通知取得部２３３が着信通知と共に、発信元の電話機１０の電話番号を取得する（Ｓ４１２）。続いて、共通電話帳検索要求部２３４は、着信通知取得部２３３が取得した電話番号を情報サーバ３０へ送信する（Ｓ４１６）。情報サーバ３０においては、共通電話帳検索要求部２３４から受信した電話番号に基づいて、該電話番号に対応する利用者名の抽出を共通電話帳記憶部３３０から行い、利用者名が抽出された場合には該利用者名を携帯電話２０へ送信する。
【００７２】
次いで、共通電話帳検索要求部２３４は、情報サーバ３０から利用者名を受信したか否かを判断する（Ｓ４２０）。利用者名を受信したと判断された場合には、表示部２３６は、ディスプレイに受信した利用者名を発信者名として表示する（Ｓ４２４）。このとき、表示部２３６は、利用者名と併せて電話機１０の電話番号も表示するようにしてもよい。
【００７３】
一方、Ｓ４２０において情報サーバ３０から利用者名を受信しなかった判断された場合には、個人電話帳検索要求部２３５は、記憶部２２８から携帯電話２０の利用者（ユーザ）の個人名を取得する（Ｓ４２８）。その後、個人電話帳検索要求部２３５は、記憶部２２８から取得した個人名を情報サーバ３０へ送信する（Ｓ４３２）。情報サーバ３０においては、個人電話帳検索要求部２３５から受信した個人名および電話番号に基づいて、該個人名および電話番号に対応する利用者名の抽出を個人電話帳記憶部３４０から行い、利用者名が抽出された場合には該利用者名を携帯電話２０へ送信する。
【００７４】
ここで、携帯電話２０が要求する利用者名が共通電話帳に含まれる可能性が高い場合には、携帯電話２０が個人電話帳に対して利用者名の要求を行なう場合を抑制できる。その結果、情報サーバ３０および携帯電話２０における負荷の抑制および検索速度の迅速化を図ることができる。
【００７５】
続いて、個人電話帳検索要求部２３５は、情報サーバ３０から利用者名を受信したか否かを判断する（Ｓ４３６）。情報サーバ３０から利用者名を受信したと判断された場合にはＳ４２４の処理に進む。一方、Ｓ４３６において利用者名を受信しなかったと判断された場合には、表示部２３６は、ディスプレイに電話機１０の電話番号のみを表示して（Ｓ４４０）処理を完了する。
【００７６】
以上説明したように、本実施形態にかかる携帯電話２０は、他の電話機１０の電話番号と利用者名を対応付けて記憶する必要がない。すなわち、本実施形態にかかる携帯電話２０は、携帯電話２０に記憶する個人情報の大部分を排除しつつ、着信時に発信元の電話機１０の利用者名を表示することができる。その結果、携帯電話２０が紛失、または盗難された場合に、携帯電話２０から個人情報が漏洩することを防止できる。
【００７７】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７８】
例えば、上記実施形態では、通知部の一例として表示部２３６をあげて説明したが、本発明はかかる例に限定されない。例えば、通知部は、音声を出力するための音声出力部であってもよい。具体的には、かかる音声出力部が、情報サーバ３０から受信した利用者名を音声として出力するようにしてもよい。または、通知部は、振動を発生する振動器であってもよい。具体的には、かかる振動器が、情報サーバ３０から受信した利用者名に応じたパターンで振動を発生するようにしてもよい。
【００７９】
また、上記実施形態では、移動式通信装置の一例として携帯電話２０をあげて説明したが、本発明はかかる例に限定されない。例えば、移動式通信装置は、ソフトウェアにより電話機能を実装したノート型ＰＣや、携帯用ゲーム機、音楽再生装置、映像再生装置であってもよい。
【００８０】
また、上記実施形態では、アドレス情報の一例として電話番号をあげて説明したが、本発明はかかる例に限定されない。例えば、アドレス情報は、電子メールアドレスであってもよい。かかる場合には、携帯電話２０は、電子メールの受信時、電子メールの送信元を示す電子メールアドレスを情報サーバ３０に送信し、情報サーバ３０において検索された該電子メールアドレスに対応する利用者名を表示することができる。
【００８１】
または、アドレス情報は通信装置に固有に付与された情報であってもよく、例えば、通信装置のＭＡＣ（Ｍｅｄｉａ  Ａｃｃｅｓｓ  Ｃｏｎｔｒｏｌ  ａｄｄｒｅｓｓ）アドレスであってもよい。この場合、携帯電話２０は、情報の受信時、情報の送信元を示すＭＡＣアドレスを情報サーバ３０に送信し、情報サーバ３０において検索された該ＭＡＣアドレスに対応する利用者名を表示することができる。
【００８２】
また、上記実施形態では、利用者情報の一例として利用者名をあげて説明したが、本発明はかかる例に限定されない。例えば、利用者情報は、「ＸＸ電気株式会社」や「ＸＸ信託銀行」などの企業名や、「営業２課」や「ネットワーク開発第三部」などといった部署名であってもよい。また、利用者情報は、発信元の電話機１０の利用者を特定できる情報であればよいため、氏名に限らず、あだ名や企業内における社員番号であってもよい。
【００８３】
さらに、利用者情報は、発信元の電話機１０の利用者の写真であってもよい。すなわち、情報サーバ３０は電話番号と該電話番号が付与されている電話機１０の利用者の写真を対応付けて記憶しており、携帯電話２０から電話機１０の電話番号を受信した場合には、情報サーバ３０は該電話番号と対応付けられている電話機１０の利用者の写真を携帯電話２０に送信し、携帯電話２０において情報サーバ３０から受信した電話機１０の利用者の写真を表示するようにしてもよい。
【００８４】
また、上記実施形態では、個人電話帳検索要求部２３５が個別情報の一例として携帯電話２０の利用者名を情報サーバ３０に送信する例をあげて説明したが、本発明はかかる例に限定されない。例えば、個人電話帳検索要求部２３５は、携帯電話２０の電話番号を情報サーバ３０に送信するようにしてもよい。
【００８５】
また、上記実施形態では、携帯電話２０が共通電話帳の検索要求を行なった後に個人電話帳の検索要求を行なう例を説明したが、本発明はかかる例に限定されない。例えば、携帯電話２０は、個人電話帳の検索要求を行なった後に共通電話帳の検索要求を行なうようにしてもよい。
【００８６】
また、上記実施形態では情報サーバ３０が２種類の電話帳を記憶する場合を説明したが、本発明はかかる例に限定されない。例えば、情報サーバ３０は、共通電話帳または個人電話帳のいずれかのみを記憶するようにしてもよく、３種類以上のより多くの電話帳を記憶するようにしてもよい。
【００８７】
また、上記実施形態では、携帯電話２０が情報サーバ３０と無線ＬＡＮを介して情報を送受信する場合を説明したが、本発明はかかる例に限定されない。例えば、携帯電話２０は、情報サーバ３０と直接のアドホックネットワークを構成することにより情報を送受信するようにしてもよい。
【００８８】
また、上記実施形態では、情報サーバ３０が企業内サーバである場合を説明したが、本発明はかかる例に限定されない。例えば、情報サーバ３０は、日本国民の電話帳を記憶し、不特定の携帯電話２０からアクセス可能なように構成してもよい。または、ある学校に属する生徒または先生の情報のみを記憶する学校内サーバであってもよい。
【００８９】
また、携帯電話２０および情報サーバ３０に内蔵されるＣＰＵ２０１、ＲＯＭ２０２およびＲＡＭ２０３などのハードウェアを、上述した携帯電話２０および情報サーバ３０の各構成と同等の機能を発揮させるためのコンピュータプログラムも作成可能である。また、当該プログラムを記憶するＥＥＰＲＯＭ、ＥＰＲＰＭなどの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスクや、ＭＯディスクなどの記憶媒体も提供される。
【００９０】
また、本明細書の携帯電話２０の処理における各ステップは、必ずしもフローチャートとして記載された順序に沿って時系列に処理する必要はなく、並列的あるいは個別に実行される処理（例えば、並列処理あるいはオブジェクトによる処理）も含むとしてもよい。
【図面の簡単な説明】
【００９１】
【図１】本発明の一実施形態にかかる通信システムの構成を示した説明図である。
【図２】同実施形態にかかる本実施形態にかかる携帯電話のハードウェア構成を示した説明図である。
【図３】同実施形態にかかる携帯電話および情報サーバの構成を示した機能ブロック図である。
【図４】記憶部が記憶する個別情報の一例を示した説明図である。
【図５】共通電話帳記憶部が記憶する共通電話帳のデータ構造例を示した説明図である。
【図６】個人電話帳記憶部が記憶する個人電話帳のデータ構造例を示した説明図である。
【図７】同実施形態にかかる携帯電話における着信時の発信元の表示方法を示したフローチャートである。
【符号の説明】
【００９２】
１          通信システム
１０        電話機
２０        携帯電話
３０        情報サーバ
２２０      基本機能部
２２２      通信部
２２８      記憶部
２３０      発信元表示処理部
２３２      認証部
２３３      着信通知取得部
２３４      共通電話帳検索要求部
２３５      個人電話帳検索要求部
２３６      表示部
３１０      通信部
３２０      検索部
３３０      共通電話帳記憶部
３４０      個人電話帳記憶部
【図１】
2008160549.tif 000003
【図２】
2008160549.tif 000004
【図３】
2008160549.tif 000005
【図４】
2008160549.tif 000006
【図５】
2008160549.tif 000007
【図６】
2008160549.tif 000008
【図７】
2008160549.tif 000009